(57)【要約】  【課題】  ディスクに記録されるデータを一旦記憶するメモリを備えているにもかかわらず記録停止要求が生じたときにそのメモリ内に存在する記録されるべきであったデータのディスクへの記録漏れを生じることのないようにする。  【解決手段】  ディスクに記録されるべきデータを一時的に蓄えておくメモリと、入力されたデータの上記メモリに対する書込及び読出と書込及び読出の際に信号変換を行う記録用信号処理回路とを備え、ディスクに記録するためのデータが入力されてからこのデータが記録用信号処理回路及びメモリを経てディスクに記録されるまでに所定の遅延時間を経過せしめる記録装置において、記録停止要求が発生した時点から少なくとも遅延時間経過後に停止することを特徴とする。【選択図】    図２
2004327035.tif 000002
【特許請求の範囲】
【請求項１】
入力された情報信号を圧縮する圧縮手段と、
上記圧縮手段から出力されるデータを一旦記憶するメモリと、
上記メモリから所定に記録単位毎に読み出される上記圧縮された情報信号に信号処理を施す信号処理手段と、
上記信号処理手段から供給されたデータをディスクに記録する記録手段と、
上記記録手段による記録動作の中断時に、上記メモリにデータが残っているか否かを判別し、上記メモリにデータが残っていると判別されたときには、少なくとも上記メモリに残っているデータが上記ディスクに記録されるまで上記記録手段による記録動作を継続させ、少なくとも上記メモリに残っているデータが上記ディスクに記録された後に上記記録手段による記録動作を中断させる制御手段を備えているディスク記録装置。
【請求項２】
上記メモリには、上記ディスクに記録されたデータの管理データが記憶され、上記制御手段は上記記録中断時に上記メモリに残っていたデータの上記ディスクへの記録が終了し、上記メモリに記憶されている上記管理データの上記ディスクへの記録が終了するまで上記記録手段による記録動作を継続させる請求項１に記載のディスク記録装置。
【請求項３】
上記ディスクは、上記記録手段によって上記信号処理手段から供給されたデータが記録される第１の記録領域と、上記第１の記録領域に記録されるデータの管理データが記録される第２の記録領域とを備え、上記制御手段は、上記記録動作の中断時に上記記録手段によって上記メモリに残っているデータを上記第１の記録領域に記録が終了し、上記第２の記録領域に上記管理データの記録が終了するまで上記記録手段による記録動作を継続させる請求項１に記載のディスク記録装置。
【請求項４】
上記制御手段は、上記記録動作の中断時に上記メモリのデータの読み出し位置を示す情報と上記メモリへの書きこみ位置を示す情報が一致しているか否かによって上記メモリ内にデータが残っているか否かを判別する請求項３に記載のディスク記録装置。
【請求項５】
上記制御手段は、上記メモリに残っているデータに対応する上記ディスクのアドレスを最終アドレスとして上記ディスクの第２の記録領域に記録する請求項３に記載のディスク記録装置。
【請求項６】
入力された情報信号を圧縮した後に一旦メモリに蓄え、
上記メモリから所定に記録単位毎に読み出される上記圧縮された情報信号に信号処理を施した後にディスクに記録し、
記録動作の中断時に上記メモリにデータが残っているか否かを判別し、
上記メモリにデータが残っていると判別されたときには、少なくとも上記メモリに残っているデータが上記ディスクに記録されるまで上記記録手段による記録動作を継続させ、上記メモリに残っているデータが上記ディスクに記録された後に上記記録動作を中断させるディスク記録方法。
【請求項７】
上記メモリには、上記ディスクに記録されたデータの管理データが記憶され、上記方法は上記記録中断時に上記メモリに残っていたデータの上記ディスクへの記録が終了し、上記メモリに記憶されている上記管理データの上記ディスクへの記録が終了するまで上記記録動作を継続させる請求項６に記載のディスク記録方法。
【請求項８】
上記ディスクは、上記信号処理された上記圧縮された情報信号が記録される第１の記録領域と、上記第１の記録領域に記録される上記圧縮された情報信号の管理データが記録される第２の記録領域とを備え、上記方法は、上記記録動作の中断時に上記メモリに残っているデータを上記第１の記録領域に記録が終了し、上記第２の記録領域に上記管理データの記録が終了するまで上記記録動作を継続させる請求項６に記載のディスク記録方法。
【請求項９】
上記方法は、上記記録動作の中断時に上記メモリのデータの読み出し位置を示す情報と上記メモリへの書きこみ位置を示す情報が一致しているか否かによって上記メモリ内にデータが残っているか否かを判別する請求項８に記載のディスク記録方法。
【請求項１０】
上記方法は、上記メモリに残っているデータに対応する上記ディスクのアドレスを最終アドレスとして上記ディスクの第２の記録領域に記録する請求項８に記載のディスク記録方法。
【発明の詳細な説明】
【技術分野】
【０００１】
この発明は、カートリッジに収納された直径６４ｍｍの光ディスク又は光磁気ディスクを記録するディスク記録装置及びディスク記録方法に関する。
【背景技術】
【０００２】
カートリッジに収納された直径６４ｍｍの光ディスク又は光磁気ディスクを用いてディジタルオーディオ信号を記録／再生する光ディスクシステムが開発されている。このような光ディスクシステムでは、音声圧縮技術を用いて、ディジタルオーディオ信号が約１／５に圧縮されて記録される。これにより、直径６４ｍｍの小径のディスクで、約７４分もの高音質のオーディオ信号の記録／再生が可能とされている。
【０００３】
このような光ディスクの記録／再生装置において、データ記録時には、レーザーパワーの制御が必要であると共にＣＩＲＣのインターリーブ長は１０８フレームで１セクタの長さよりも長くなるので、リンキングエリアが必要になる。このため、光ディスクでは、３６セクタからなるクラスタを単位として、記録／再生が行われる。この３６セクタからなるクラスタのうち、データが記録されるのは３２セクタである。残りの４セクタは、リンキング用及びサブデータ用とされる。
【０００４】
再生時には、データ圧縮を解くデコーダよりも速い転送レートで、光ディスクからデータが再生される。この再生データは、バッファメモリ（ＤＲＡＭ）に一旦記憶される。このバッファメモリには、約０．９秒でディジタル信号が一杯になる。もし、振動等によりディスク上のディジタル信号が読み取れなくなっても、約３秒間はこのバッファメモリに蓄えられているデータにより、再生信号が出力され続ける。その間に光ピックアップを元の位置に再アクセスし、信号読み取りを再度行うことで、所謂音飛びの発生を防止できる。
【発明の開示】
【発明が解決しようとする課題】
【０００５】
このような光ディスクシステムにおける光ディスクでは、１クラスタ分のデータがメモリに揃うのを待って、データを記録している。１クラスタ分のデータが揃うのには、約２秒間かかる。したがって、記録中に停止キーが押されたとき、１クラスタ分のデータがメモリに揃うのを待って記録を終了するようにすると、ユーザが記録を停止させたにも係わらず、メモリにデータが揃うまでの間、記録状態が続くことになり、使用性が良くない。
【０００６】
また、記録中に停止キーが押されると、１クラスタ分のデータがメモリに残っている状態で記録状態を停止させると、このメモリに残っているデータは失われることになり、ディスクからデータを読み出した時、最後の部分が途切れてしまうという問題が生じる。
【０００７】
したがって、この発明の目的は、データがメモリに残っている状態で記録状態が停止されたときに、メモリに残っているデータを失わないように付加データを付加するとともに、付加データが誤って再生されて異音が再生音として再生装置などから出力されるようなことがないようにしたディスク記録装置及びディスク記録方法を提供することにある。
【課題を解決するための手段】
【０００８】
上述した課題を解決するために、この発明は、入力された情報信号を圧縮する圧縮手段と、
圧縮手段から出力されるデータを一旦記憶するメモリと、
メモリから所定に記録単位毎に読み出される圧縮された情報信号に信号処理を施す信号処理手段と、
信号処理手段から供給されたデータをディスクに記録する記録手段と、
記録手段による記録動作の中断時に、メモリにデータが残っているか否かを判別し、メモリにデータが残っていると判別されたときには、少なくともメモリに残っているデータがディスクに記録されるまで記録手段による記録動作を継続させ、少なくともメモリに残っているデータがディスクに記録された後に記録手段による記録動作を中断させる制御手段を備えているディスク記録装置である。
【０００９】
この発明は、入力された情報信号を圧縮した後に一旦メモリに蓄え、
メモリから所定に記録単位毎に読み出される圧縮された情報信号に信号処理を施した後にディスクに記録し、
記録動作の中断時にメモリにデータが残っているか否かを判別し、
メモリにデータが残っていると判別されたときには、少なくともメモリに残っているデータがディスクに記録されるまで記録手段による記録動作を継続させ、メモリに残っているデータがディスクに記録された後に記録動作を中断させるディスク記録方法である。
【発明の効果】
【００１０】
この発明によれば、ディスクに記録されるデータを一旦記憶するメモリを備えているにもかかわらず記録停止要求が生じたときにそのメモリ内に存在する記録されるべきであったデータのディスクへの記録漏れを生じることのないディスク記録装置、方法を提供することができる。
【発明を実施するための最良の形態】
【００１１】
以下、この発明の一実施の形態について図面を参照して説明する。図１は、この発明が適用された光記録及び／又は再生装置を全体として示す斜視図である。図１において、光記録及び／又は再生装置１のフロントパネル１Ａには、ディスプレイ９が配設される。また、光記録及び／又は再生装置１のフロントパネル１Ａには、電源キー２、ＯＰＥＮ／ＣＬＯＳＥキー３、再生キー４、一時停止キー５、停止キー６、及びＡＭＳキー７Ａ及び７Ｂ、記録キー１０が配設される。８はディスクトレイで、フロントパネル１Ａの開口部より引き出される。
【００１２】
ＯＰＥＮ／ＣＬＯＳＥキー３を操作することにより、一点鎖線で示すように、ディスクトレイ８が装置１から引き出される。このディスクトレイ８上に、光ディスク（図示せず）が載置される。そして、ＯＰＥＮ／ＣＬＯＳＥキー３を再び操作すると、このディスクトレイ８が装置１内に引き込まれる。光ディスクは装置１内の記録及び／又は再生部に装填される。
【００１３】
ディスプレイ９には、装着された光ディスクの総演奏時間、演奏中の曲の演奏時間、及び残りの演奏時間等の時間情報や、演奏中の曲のトラックナンバ等が表示される。また、ディスクネームやトラックネームが記録されている光ディスクでは、ディスクネームやトラックネームがディスプレイ９に表示される。
【００１４】
図２は、本発明が適用された光ディスク記録及び／又は再生装置の構成を示すブロック図である。１１はディスクカートリッジで、カートリッジ１１Ａ内に直径６４ｍｍの光ディスク１１Ｂが収納されている。この光ディスク１１Ｂには再生専用の光ディスク、記録可能な光磁気ディスク、再生専用領域と記録可能領域が混在する光ディスクの３種類がある。ここでは、ディスクカートリッジ１１内に光磁気ディスクが収納されているものとする。
【００１５】
光ディスク１１Ｂには、アドレスデータに基づいて、ディスクの径方向にウォブリングされたプリグルーブが形成されている。光ディスク１１Ｂにデータを記録、もしくは、記録されたデータを読み取るにあたっては、プリグルーブを検出して得られたアドレスデータに基づいて行なわれる。光ディスク１１Ｂの記録領域は、詳細な説明は後述するが、一般の音楽信号のような情報に基づくデータが記録される第１の記録領域と所謂ＴＯＣ（Table Of Contents ）のような目録情報が記録された第２の記録領域を有する。複数のプログラムや複数の曲に対応した記録データは、プリグルーブに沿って光ディスク１１Ｂ上に記録される。
【００１６】
１２はスピンドルモータで、光ディスク１１Ｂを線速度一定で回転駆動する。スピンドルモータ１２は、後述するサーボ制御回路１５により制御される。
【００１７】
１３は、外部磁界発生用の磁気ヘッドで、光ディスク１１Ｂに記録するデータに基づいて変調された垂直磁界を印加する。１４は、光ピックアップで光ディスクに光ビームを照射する。磁気ヘッド１３と光ピックアップ１４は、光ディスク１１Ｂを挟んで相対向するように配されている。磁気ヘッド１３と光ピックアップ１４は、図示しない連結機構により連結されており、光ディスク１１Ｂの径方向に一体化されて移動される。
【００１８】
１５は、サーボ制御回路である。サーボ制御回路１５は、後述するＲＦアンプ２９を介して得られた光ピックアップ１４からの出力信号に基づいて、フォーカシングエラー、トラッキングエラー等のエラー信号を生成する。生成されたエラー信号に基づいて、フォーカシングサーボ、トラッキングサーボを行うための制御信号を光ピックアップ１４に供給する。
【００１９】
１６は送りモータで、光ピックアップ１４を光ディスク１１Ｂの径方向に送るものである。送りモータ１６は、サーボ制御回路１５からの送り信号に基づいて光ピックアップ１４にトラックジャンプのための送り動作を行う。更に、送りモータ１６は、サーボ制御回路１５から供給されるトラッキングエラー信号の低域周波数成分が供給される。光ピックアップ１４が、光ディスク１１Ｂの径方向に送りモータ１６によって送られるとき、同時に磁気ヘッド１３も光ディスク１１Ｂの径方向に送られる。
【００２０】
１７は、システムコントローラで、各構成要素の動作を制御する。このシステムコントローラ１７にはディスプレイ９と入力キー１８が接続されている。入力キー１８は図１に示したフロントパネル１Ａの電源キー２、ＯＰＥＮ／ＣＬＯＳＥキー３、再生キー４、一時停止キー５、停止キー６、選曲キー７Ａ、７Ｂ及び記録キー１０に対応する。ディスプレイ９上には光ディスク１１Ｂの目録情報、例えば、総演奏時間、演奏中の曲もしくはプログラムの演奏時間、残り時間のような時間情報や演奏中の曲もしくはプログラムのトラックナンバー、ディスクネーム、トラックネーム等が表示される。
【００２１】
１９は、ＲＯＭ（Read Only Memory）からなるメモリである。このメモリ１９には、後述するようにクラスタ、セクタ数に対応した時間情報が記憶されている。ＲＯＭ１９は、システムコントローラ１７に接続されている。ＲＯＭ１９内の時間情報は、システムコントローラ１７で求められたクラスタ、セクタ数に対応したデータ、即ちアドレスデータにより読み出される。
【００２２】
２１は入力端子である。２２は、入力端子２１から入力されるアナログのオーディオ信号を１６ビットのディジタル信号に変換するＡ／Ｄコンバータである。このＡ／Ｄコンバータ２２のサンプリング周波数は４４．１ＫＨｚである。
【００２３】
２３は音声圧縮エンコーダ／デコーダである。第１のエンコーダ／デコーダ２３は、Ａ／Ｄコンバータ２２から供給されるディジタル信号を約１／５に圧縮する。第１のエンコーダ／デコーダ２３は、変形ＤＣＴ（Modified Discrete Cosine Transform）を用いて圧縮、伸長が行なわれる。
【００２４】
２４はメモリコントローラで、メモリ２５へのデータの書込み及びメモリ２５からのデータの読み出し動作を制御する。メモリコントローラ２４は後述するように、ダミーデータを発生するためのデータ発生回路を有する。
【００２５】
２５はメモリで、例えば、記憶容量が１ＭビットのダイナミックＲＡＭである。メモリ２５には、光ディスク１１Ｂへのデータの記録時には第１のエンコーダ／デコーダ２３からのデータがメモリコントローラ２４を介して、一旦蓄えられる。光ディスク１１Ｂの再生時には第２のエンコーダ／デコーダ２６からのデータがメモリコントローラ２４を介してメモリ２５に一旦蓄えられる。第２のエンコーダ／デコーダ２６は、メモリ２５から読み出されたデータにエラー訂正処理を施す。更に第２のエンコーダ／デコーダ２６は、エラー訂正処理が施されたデータにＥＦＭ（８−１４変調）を施す。エラー訂正符号としては、ＣＩＲＣ（Cross Interleave Reed Solomon Code）が用いられる。
【００２６】
２７は磁気ヘッド１３の駆動回路で、第２のエンコーダ／デコーダ２６からの記録データが供給される。２８はアドレスデコーダで、ＲＦアンプ２９からの供給される再生信号に基づいて、アドレス信号、前述したウォブリングされたグルーブとして記録されたアドレス信号をデコードする。
【００２７】
３０はＤ／Ａコンバータで、第１のエンコーダ／デコーダ２３によって伸長されたディジタル信号をアナログのオーディオ信号に変換する。アナログのオーディオ信号は出力端子３１より出力される。
【００２８】
光ディスク１１Ｂに記録データを記録するためには、光ピックアップ１４より記録レベルの光ビームが照射して、光ディスク１１Ｂの記録層、本例では光磁気記録層を加熱する。同時に、記録データに応じた垂直磁界が光ディスク１１Ｂの反対側の面より印可される。記録層としての光磁気記録層は光ビームが移動することによって温度が低下する際の垂直磁界の方向に沿って磁化される。
【００２９】
その結果、データが光ディスク１１Ｂに記録される。光ディスク１１Ｂからデータを読み出すためには、記録時よりもパワーの低い光ビームが光ディスク１１Ｂに照射される。この光ビームが光ディスク１１Ｂの光記録層としての光磁気記録層によって反射される。反射された光ビームは、光ピックアップ１４の一対の光検出器により受光される。一対の光検出器からの各々の出力信号の差をとることによって光ディスク１１Ｂの再生信号を得ることができる。
【００３０】
なお、第１のエンコーダ／デコーダ２３は、３００ｋビット／秒でデータが得られれば、圧縮を解き、途切れない音声を再生させることが可能である。これに対して、前述したように、光ピックアップ１４は、光ディスク１１Ｂ上のディジタル信号を１．４Ｍビット／秒の転送レートで読み取っている。１Ｍビットのメモリ２５には、約０．９秒でディジタル信号が一杯になり、もし、振動等により光ディスク１１Ｂ上のディジタル信号が読み取れなくなっても、約３秒間はメモリ２５に蓄えられているデータにより再生信号が出力し続けることが可能である。その間に光ピックアップ１４を元の位置に再アクセスし、信号読み取りを再度行うことで、所謂音飛びの発生を防止できる。
【００３１】
光ディスク１１Ｂの最内周には、ＴＯＣ(Table Of Contents) が設けられる。このＴＯＣには、光ディスク１１Ｂのどこにどのようなデータが記録されているかの情報が記録されている。図３は、ＴＯＣの構造を示すものである。ＴＯＣは、ヘッダーエリアと、データエリアとからなる。ヘッダーエリアの先頭は固定のシンクパターンのエリアＡ１とされ、これにクラスタ、セクタを示すヘッダー情報のエリアＡ２が続く。
【００３２】
データエリアの先頭は固定パターンのエリアＡ３が設けられ、これに光ディスクであることを示す識別子、ディスクのタイプ（再生専用、記録可能、再生専用領域と記録可能領域が混在）、記録パワー、先頭トラックナンバ、最終トラックナンバ、リードアウト開始アドレス、使用セクタ、パワーキャリブレーション開始アドレス、ユーザＴＯＣ開始アドレス、記録可能ユーザエリア開始アドレス等の識別情報のエリアＡ４が設けられる。これに続いて、トラックナンバポイント（Ｐ−ＴＮＯ１、Ｐ−ＴＮＯ２、Ｐ−ＴＮＯ３、…）のエリアＡ５が設けられる。このトラックナンバポイント（Ｐ−ＴＮＯ１、Ｐ−ＴＮＯ２、Ｐ−ＴＮＯ３、…）は、そのトラックナンバの開始アドレスや終了アドレスの情報のアドレスを指し示すポインターである。これに続いて、トラック情報のエリアＡ６が設けられる。このトラック情報のエリアＡ６に、各トラックの開始アドレス及び終了アドレスの情報が記録される。この各トラックの開始アドレス及び終了アドレスの情報のアドレスは、トラックナンバポイント（Ｐ−ＴＮＯ１、Ｐ−ＴＮＯ２、Ｐ−ＴＮＯ３、…）により指定される。
【００３３】
更に、光ディスク１１Ｂでは、記録したオーディオ信号を管理するために、ユーザＴＯＣが設けられる。図４は、ユーザＴＯＣの構造を示すものである。ユーザＴＯＣは、前述のＴＯＣと基本構造は同様である。ユーザＴＯＣには、各トラックの情報に、Ｌｉｎｋ−Ｐ（Ｂ１で示す）という情報が含められる。このＬｉｎｋ−Ｐは、次にどのトラックが続くかを示すものである。したがって、プログラムや曲順の変更をするのにトラックの順番を変更する必要はない。トラック情報の管理は、総て、ユーザＴＯＣ上で行うことができる。
【００３４】
これらのＴＯＣ情報は、ディスク装着後の最初のアクセスされて、ディスクより読み出され、メモリ２５の一部に記憶される。また、ディスクへの記録動作終了時等のユーザＴＯＣを更新する場合には、このメモリ２５上でこれまでに記録したデータに基づいてユーザＴＯＣが更新される。例えばディスクカートリッジのイジェクトされる前に更新されたユーザＴＯＣが光ディスク１１Ｂのリードインエリアに記録される。その後、記録及び／又は再生装置よりディスクカートリッジがイジェクトされる。
【００３５】
このように構成された光ディスク記録及び／又は再生装置の基本的な記録動作について説明する。
【００３６】
入力端子２１から入力されたアナログのオーディオ信号は、Ａ／Ｄコンバータ２２によって１６ビットのディジタル信号に変換される。Ａ／Ｄコンバータ２２で変換されたディジタル信号は、第１のエンコーダ／デコーダ２３に供給される。第１のエンコーダ／デコーダ２３では、入力されたディジタル信号は約１／５のデータ量、例えば４ビットのディジタルデータに圧縮される。圧縮されたディジタルデータは、メモリコントローラ２４を介して、１セクタ毎に一旦メモリ２５に蓄えられる。メモリ２５に蓄えられたデータは１クラスタ単位で読み出される。メモリコントローラ２４を介して第２のエンコーダ／デコーダ２６に供給されたディジタルデータは、第２のエンコーダ／デコーダ２６により、ＥＦＭ変調及び誤り訂正符号が付加される。第２のエンコーダ／デコーダ２６から出力される記録データは、ヘッド駆動回路２７を介して磁気ヘッド１３に供給される。磁気ヘッド１３によって記録データに基づく変調された垂直磁界が光ディスク１１Ｂに印加されると同時に、光ピックアップ１４によって記録パワーレベルの光ビームが光ディスク１１Ｂのディスク基板側より照射される。
【００３７】
この時、トラックジャンプが発生した場合には、システムコントローラ１７は以下のような制御動作を行う。先ず、光ピックアップ１４から光ディスク１１Ｂに照射されている光ビームのパワーを再生レベルまで下げ、磁気ヘッド１３の駆動を停止する。同時に、メモリ２５からのデータの読み出しは停止する。但し、メモリ２５内へのデータの書込みは続けられる。光ピックアップ１４をトラックジャンプが発生した点のディスク上の位置まで戻す。再び、光ピックアップ１４から光ディスク１１Ｂに照射される光ビームのパワーを記録レベルまで上げると同時に、メモリ２５内に蓄えられているデータの読み出しを再開して記録動作を再開する。トラックジャンプが生じたか否かの検出は、例えばアドレスデコーダ２８によってデコードされた光ディスク１１Ｂのアドレス情報が不連続になったか否かをシステムコントローラ１７によって監視することによって行うことができる。
【００３８】
光ディスク１１Ｂに記録されたデータを読み取る動作は次のように行なわれる。入力キー１８によって所望するプログラム番号、曲番号が入力される。この入力データはシステムコントローラ１７に供給される。システムコントローラ１７は、光ディスク１１Ｂが記録及び／又は再生装置に装着された際に、メモリ２５内の一部に蓄えられているＴＯＣ情報に基づいて送りモータ１６を駆動して光ピックアップ１４を光ディスク１１Ｂの径方向に送る。
【００３９】
指定されたプログラム、又は曲が記録されている光ディスク１１Ｂ上の位置に達すると、光ピックアップ１４により光ディスク１１Ｂの読み出しが開始される。光ピックアップ１４からの再生データはＲＦアンプ２９を介して、サーボ制御回路１５、第２のエンコーダ／デコーダ２６及びアドレスデコーダ２８に供給される。アドレスデコーダ２８では再生データ中より光ディスク１１Ｂ予め記録されているアドレス情報が抜き出されて、第２のエンコーダ／デコーダ２６を介してシステムコントローラ１７に供給される。サーボ制御回路１５では、フォーカシングサーボ信号、トラッキングサーボ信号等のサーボ信号が生成され、光ピックアップ１４及びスピンドルモータ１２に供給される。
【００４０】
第２のエンコーダ／デコーダ２６では再生データのＥＭＦ復調、誤り訂正処理などのデコード処理が行なわれる。第２のエンコーダ／デコーダ２６からのディジタルデータはメモリコントローラ２４を介してメモリ２５に一旦蓄えられる。
【００４１】
メモリ２５からは１クラスタ単位でデータが読み出されて、第１のエンコーダ／デコーダ２３に供給される。第１のエンコーダ／デコーダ２３ではメモリ２５から読み出されたデータの伸長処理が行なわれる。第１のエンコーダ／デコーダ２３から出力されるディジタル信号はＤ／Ａ変換器３０に供給される。Ｄ／Ａ変換器３０でアナログのオーディオ信号に変換されて出力端子３１より出力される。
【００４２】
再生動作中にトラックジャンプが生じた場合の動作は基本的には記録時と同様である。トラックジャンプが生じたことを検出すると、メモリ２５へのデータの書き込みを停止させて、光ピックアップ１４をトラックジャンプが発生した点まで移動させる。その間、メモリ２５からのデータの読み出しは続行される。光ピックアップ１４がトラックジャンプが発生した点まで戻ると、光ディスク１１Ｂの読み出しを再開すると共に、メモリ２５へのデータの書き込みを再開する。
【００４３】
次に、この発明の実施の形態において、記録動作中に停止キー６が操作された場合、換言すれば記録中断が設定された場合の記録動作について図５から図８を用いて説明する。
【００４４】
記録及び／又は再生装置の記録動作中に停止キー６が操作された状態では、メモリ２５内にデータが残っていない場合はまれであり、一般的にはメモリ２５内に、１クラスタ未満のデータ残っていることが多い。そこで、メモリコントローラ２４内に設けられているデータ発生器からｎｕｌｌデータのようなダミーデータを発生させて、メモリ２５にこのダミーデータを書き込む。ダミーデータのデータ量はメモリ２５内に残っているデータとの和が１クラスタとなる量である。この時、Ａ／Ｄコンバータ２２とメモリコントローラ２４への入力は、システムコントローラ１７からの出力に基づいて断たれている。そして、ダミーデータが付加されたメモリ２５内に残ったデータがメモリ２５より読み出されて光ディスク１１Ｂに記録される。
【００４５】
つまり、図５Ａに示すように、一連の記録データの最後のクラスタ（Ｎ＋１）分のデータが揃う前の点Ｔ0 で、停止キー６が押されたとする。この時、図５Ｂに示すように、メモリ２５に残っているクラスタ（Ｎ＋１）のデータに、ダミーデータが付加され、１クラスタ分のデータが形成される。このようにして形成された１クラスタ分のデータが光ディスク１１Ｂに記録される。
【００４６】
図６及び図７はこの時の処理を示すフローチャートである。図６に示すように、記録中であるかどうかが判断され（ステップ５１）、記録中なら、停止キー６が押され、停止処理になるかどうかが判断される（ステップ５２）。停止処理なら、メモリ２５に蓄えられているデータにダミーデータとして０が付加され、１クラスタ分のデータが形成される（ステップ５３）。このようにして形成された最後のクラスタのデータがディスクに記録される（ステップ５４）。
【００４７】
記録中断時に、メモリ２５内にデータが残っているか否かについては、メモリ２５のメモリ２５へのデータの書込みポインタとメモリ２５からのデータの読み出しポインタとの差が零であるか否かによって検出することができる。この検出動作はメモリコントローラ２４又はシステムコントローラ１７によって行なわれる。
【００４８】
つまり、メモリ２５内にはＡ／Ｄコンバータ２２よりのデータが１セクタ単位で書き込みポインタによって指定された点に取り込まれる。そして、メモリ２５からは１クラスタ単位でデータが読み出しポインタで指定された点より読み出される。記録中断時には、読み出しポインタと書き込みポインタとの差が０か否かによってメモリ２５内にデータが残っているか否かをメモリコントローラ２４で判断し、その判断結果をシステムコントローラ１７に供給し、ダミーデータを発生させる。
【００４９】
このようにして、メモリ２５内に残っていたデータの光ディスク１１Ｂへの記録が終了すると、ユーザＴＯＣの記録が行なわれる。今回の記録の最終アドレスは、記録中断時にメモリ２５内に残っていたデータの最後のクラスタ、セクタに対応する光ディスク１１Ｂ上のアドレス情報がそのプログラム、曲のエンドアドレスとして、又、今回の記録動作の最終アドレスとしてメモリ２５のユーザＴＯＣ作成のためのメモリエリア内に取り込まれる。換言すれば、前述したようにメモリ２５に残ったデータにダミーデータが付加されて１クラスタとなったときの最後のクラスタ、セクタを最終アドレスとするのではなく、記録中断時にメモリ２５に残っていたデータの最後のクラスタ、セクタを最終アドレスとする。その結果、ディスク１１Ｂを再生する場合には、実際にデータが記録されている部分しか再生されず、ダミーデータの部分は再生されない。よって、ダミーデータは、ｎｕｌｌデータに限らず何でもよいことになる。
【００５０】
この時、図７に示すようにして、ＴＯＣが光ディスク１１Ｂに記録される。つまり、記録中であるかどうかが判断され（ステップ６１）、記録中なら、停止キー６が押され、停止処理になるかどうかが判断され（ステップ６２）、停止処理なら停止キー６が操作されたときにメモリ２５に残っていたデータの最後のクラスタ、セクタに対応する光ディスク１１Ｂ上のアドレス情報がそのプログラムもしくは曲の最終アドレスとして光ディスク１１ＢのＴＯＣ領域に書き込まれる。
【００５１】
なお、図８Ａに示すように、一連の記録データの最後のクラスタ（Ｎ＋１）分のデータが揃う前の点Ｔ0 で停止キー６が押されたら、この時のクラスタ（Ｎ＋１）のデータＤ1
を次に記録すべきデータが入力されるまで保存しておき、次にデータが入力されたら、図８Ｂに示すように、そのデータＤ2 と保存されているデータＤ1 とで、クラスタ（Ｎ＋１）を形成して記録するようにしても良い。
【００５２】
この発明の実施の形態では、ダミーデータをメモリコントローラ２４に設けられたデータ発生回路により発生させる構成としていたが、このデータ発生回路はシステムコントローラ１７内に設けてもよい。
【図面の簡単な説明】
【００５３】
【図１】この発明の一実施の形態の全体構成を示す斜視図である。
【図２】この発明の一実施の形態の構成を示すブロック図である。
【図３】この発明の一実施の形態におけるＴＯＣの説明に用いる略線図である。
【図４】この発明の一実施の形態におけるＴＯＣの説明に用いる略線図である。
【図５】この発明の一実施の形態の説明に用いる略線図である。
【図６】この発明の一実施の形態の説明に用いるフローチャートである。
【図７】この発明の一実施の形態の説明に用いるフローチャートである。
【図８】この発明の一実施の形態の説明に用いる略線図である。
【符号の説明】
【００５４】
１  光ディスク記録／再生装置
１１  ディスクカートリッジ
１１Ｂ  光ディスク
１７  システムコントローラ
２３  音声圧縮エンコーダ／デコーダ
２５  メモリ
【図１】
2004327035.tif 000003
【図２】
2004327035.tif 000004
【図３】
2004327035.tif 000005
【図４】
2004327035.tif 000006
【図５】
2004327035.tif 000007
【図６】
2004327035.tif 000008
【図７】
2004327035.tif 000009
【図８】
2004327035.tif 000010